(57)【特許請求の範囲】
【請求項１】
周縁の一部が切り欠かれることによって凹部分が形成されたドアと，そのドアをドア枠本体の周縁に設けられた戸当たりで受けるドア枠と，の組み合わせ構造であって、
ドア閉時に前記ドアに形成された凹部分に相対向する位置の戸当たりの一部を取り除き、そこに、ドアに形成された凹部分を直接覆う光遮蔽体を、閉じられたドアとの間に空気が通過可能な隙間を残すように突設するとともに、前記閉じられたドアとドア枠との隙間の断面形状を、直角に折れ曲がる屈折部を２つ設けた略Ｚ字形状にし、前記光遮蔽体が設けられない部分には、ドア枠本体の下辺を除いて戸当たりを設けたことを特徴とする、ドアとドア枠との組み合わせ構造。
【請求項２】
周縁の一部が切り欠かれることによって凹部分が形成されたドアと，そのドアをドア枠本体の周縁に設けられた戸当たりで受けるドア枠と，の組み合わせ構造であって、
ドア閉時に前記ドアに形成された凹部分に相対向する位置の戸当たりの一部を切り欠き、残りの部分を、前記ドアに形成された凹部分を直接覆う光遮蔽体として形成するとともに、閉じられたドアとの間に空気が通過可能な隙間を残すようにし、前記閉じられたドアとドア枠との隙間の断面形状を、直角に折れ曲がる屈折部を２つ設けた略Ｚ字形状にし、前記光遮蔽体が設けられない部分には、ドア枠本体の下辺を除いて戸当たりを設けたことを特徴とする、ドアとドア枠との組み合わせ構造。
【請求項３】
前記凹部分が形成されたドアの周縁が断面略Ｌ字状で、その凹部分に相対向する前記光遮蔽体の部分が、前記ドアの周縁の形状に対応した断面略Ｌ字状であることを特徴とする請求項１又は２に記載の、ドアとドア枠との組み合わせ構造。
【発明の詳細な説明】
【０００１】
【発明の属する技術分野】
本発明は、建物の出入口に設けられるドアとそれを受けるドア枠との組み合わせ構造に関する。
【０００２】
【従来の技術】
建物の出入口に設けられるドアを受けるドア枠は、主として内部の温度・湿度の保持及び省エネルギーのために、ドア枠本体に、戸当たり、ゴム様弾性体よりなるパッキン等が付設されていて、ドアが閉じられた状態で、閉じられたドアが戸当たり、パッキン等に隙間なく密着し、外から空気が入らず、しかも内部の空気も外に洩れないよう構成されている。なお、換気が必要な場合に備えて、壁又はドア本体に開閉自在のルーバー等よりなる換気口が設けられる場合もある。
【０００３】
【発明が解決しようとする課題】
しかしながら、上記密閉構造に起因して、近年、建材中の有害な有機溶剤が揮発し、室内に充満することによるシックハウス症候群とも称せられる症状に陥る者が多発したり、調理具・暖房器具・喫煙等から有害ガスが発生することにより、不快感を覚えたり、中毒症状に起こしたりする等、健康に悪影響を与えているという問題点がある。
その防止のためにドアを僅かに開け、ドア枠本体との間に木片等を挟んで固定するという処置が採られることがあるが、見苦しく、それに伴ってドアやドア枠が破損するという問題点がある。また上述のルーバー等よりなる換気口も、いわゆる「取って付けた」感じがする等、換気作用とデザインとの両立が困難であるだけでなく、後で設置の必要を生じた場合、種々の制約から後付けがかなり困難であるという問題点がある。
【０００４】
また、戸当たりの省略・撤去による１〜６ミリメートル程度の隙間の形成（開口面積：１４０〜２４０平方センチメートル）も換気を可能にする１つの簡便な対策ではあるが、戸当たりを省略又は撤去するとその部分から光が洩れて、見苦しく、特に寝室等には不適当であるという問題点がある。
【０００５】
そこで本発明の目的とするところは、上記従来のドア枠の欠点を解消した、構造が簡単であり、且つ換気性及び光漏れ防止性に優れたドアとドア枠との組み合わせ構造を提供することにある。
【０００６】
【課題を解決するための手段】
上記の目的を達するために、請求項１の発明のドアとドア枠との組み合わせ構造は、周縁の一部が切り欠かれることによって凹部分（Ｈ）が形成されたドア（２０）と，そのドアをドア枠本体（１１）の周縁に設けられた戸当たりで受けるドア枠（１０）と，の組み合わせ構造であって、ドア（２０）閉時にドア（２０）に形成された凹部分（Ｈ）に相対向する位置の戸当たりの一部を取り除き、そこに、ドア（２０）に形成された凹部分（Ｈ）を直接覆う光遮蔽体（Ｐ）を、閉じられたドア（２０）との間に空気が通過可能な隙間（Ｓ）を残すように突設するとともに、閉じられたドア（２０）とドア枠（１０）との隙間（Ｓ）の断面形状を、直角に折れ曲がる屈折部を２つ設けた略Ｚ字形状にし、前記光遮蔽体（Ｐ）が設けられない部分には、ドア枠本体（１１）の下辺を除いて戸当たりを設けたことを特徴とするものである。
【０００８】
また請求項２の発明は、周縁の一部が切り欠かれることによって凹部分（Ｈ）が形成されたドア（２０）と，そのドアをドア枠本体（１１）の周縁に設けられた戸当たりで受けるドア枠（１０）と，の組み合わせ構造であって、ドア（２０）閉時にドア（２０）に形成された凹部分（Ｈ）に相対向する位置の戸当たりの一部を切り欠き、残りの部分を、ドア（２０）に形成された凹部分（Ｈ）を直接覆う光遮蔽体（Ｐ）として形成するとともに、閉じられたドア（２０）との間に空気が通過可能な隙間（Ｓ）を残すようにし、閉じられたドア（２０）とドア枠（１０）との隙間（Ｓ）の断面形状を、直角に折れ曲がる屈折部を２つ設けた略Ｚ字形状にし、前記光遮蔽体（Ｐ）が設けられない部分には、ドア枠本体（１１）の下辺を除いて戸当たりを設けたことを特徴とするものである。
【０００９】
更に請求項３の発明は、請求項１又は２の発明の構成に加えて、凹部分（Ｈ）が形成されたドア（２０）の周縁が断面略Ｌ字状で、その凹部分（Ｈ）に相対向する光遮蔽体（Ｐ）の部分が、前記ドア（２０）の周縁の形状に対応した断面略Ｌ字状であることを特徴とするものである。
【００１０】
なお、括弧内の記号は図面に示し後述する発明の実施の形態の対応要素又は対応事項を示す。
【００１１】
請求項１又は請求項２の発明によれば、ドアが閉じられた状態で、ドア枠本体の一部において、ドアとドア枠本体及びドアと光遮蔽体との間に空気通路が形成されるため、常時内部と外部との空気の交換が行われる。しかも、光遮蔽体が閉じられたドアに形成された凹部分を覆い、外からの光が内部へ又は内部の光が外へ、通過することが出来ないため、光が洩れることはない。
【００１２】
従って、必要な換気量が確保されるため、近年問題になっている、建材中の有害な有機溶剤が揮発し、室内に充満することによるシックハウス症候群、調理具・暖房器具・喫煙等からの有害ガスの発生による不快感、中毒等、健康に対する悪影響が解消される。
しかも、換気のために開けたドアを固定するための木片やルーバー等よりなる換気口も必要性がなくなり、小さく、簡単で、外観を損なわない光遮蔽体が設けられるだけであるため、デザイン上の制約が殆ど皆無となる。
【００１３】
そのうえ、光遮蔽体が閉じられたドアの凹部分を覆っているので、閉じられたドアとドア枠との隙間の断面形状が、直線上ではなく、屈折しているため、隙間に進入した光は多数回の反射によってしか、通過することが出来ない。そのため、光は反射の都度吸収され、減衰し、外からの光が内部へ又は内部の光が外へ、通過することが不可能であって、光が洩れることはない。
【００１４】
特に、請求項２に記載の発明によれば、光遮蔽体を請求項１のように戸当たりを取り除いた部分に新たに突設するものではなく、戸当たりを切欠き、すなわちその一部を残して形成するものであるので部品点数を軽減しうる。
【００１５】
また、請求項３の発明によれば、請求項１又は２の発明の作用効果に加えて、凹部分が形成されたドアの周縁及びその凹部分に相対向する光遮蔽体の部分は共に単純な形状であるため、ドア、ドア枠共に、構造が簡単であり、加工・取り付けも容易であり、費用は従来のものと殆ど変わらない。
【００１６】
【発明の実施の形態】
本発明の実施の形態例について図面を参考にして説明する。図１は本発明の第１の実施の形態例に係わるドアとドア枠との組み合わせ構造の一部を示す斜視図、及び図２は本発明の第１の実施の形態例に係わるドアとドア枠との組み合わせ構造の一部を示す断面図である。
本発明の第１の実施の形態例に係わる、ドアとドア枠との組み合わせ構造は、周縁の少なくとも一部が切り欠かれることによって凹部分Ｈが形成されたドア２０と，そのドア２０をドア枠本体１１の周縁に設けられた戸当たり（図示しない）で受けるドア枠１０と，の組み合わせ構造であって、ドア２０の閉時に凹部分Ｈに相対向する位置の戸当たりの少なくとも一部を切り欠き、凹部分Ｈを直接覆う光遮蔽体Ｐを形成するとともに、閉じられたドア２０との間に空気が通過可能な隙間Ｓ（例えば１〜２０ミリ）を残して、凹部分Ｈが光遮蔽体Ｐに外嵌されるようにしたものである。
【００１７】
さらに詳細に説明すると、凹部分Ｈの表面が、ドア２０の表面に垂直に内側に折れ曲がりかつ端部側にドア表面に平行に延びる、断面略Ｌ字状の屈折面よりなる形状であり、凹部分Ｈが外嵌する光遮蔽体Ｐの部分の表面は、上記凹部分Ｈの表面に対応した断面略Ｌ字状の屈折面よりなる形状である。
【００１８】
光遮蔽体Ｐは戸当りの一部をドア枠本体１１側表面に垂直な方向に切り欠き、その一部を残すことによって形成したが、戸当りの一部を取り除き、取り除いたところにドア２０に隙間Ｓをとるようにした状態で別に光遮蔽体Ｐを突設するようにしてもよい。
なお、光遮蔽体Ｐの形成又は設置位置は、特に限定されるものではなく、図３乃至図６に示すように、両側及び上側の３辺でもよく、またいずれか１辺又は２辺でもよく、つまづきの問題さえなければ、全ての辺でもよく、必要に応じて変更可能である。
【００１９】
なお、光遮蔽体Ｐが設けられない部分には、下辺を除いて、従来通り戸当たりが設けられる（図示省略）。それによってドア２０が閉じられた時、ドア２０と光遮蔽体Ｐとの間に、空気の通過可能な隙間Ｓが確保される。
【００２０】
このようなドアとドア枠との組み合わせ構造によれば、ドア２０が閉じられた状態で、凹部分Ｈが、空気が通過可能な隙間Ｓを残して、光遮蔽体Ｐに外嵌されるよう構成されているため、空気通過のために必要な開口面積が確保され、常時内部と外部との空気の交換が行われる。
従って、必要な換気量が確保されるため、近年問題になっている、建材中の有害な有機溶剤が揮発し、室内に充満することによるシックハウス症候群、調理具・暖房器具・喫煙等からの有害ガスの発生による不快感、中毒等、健康に対する悪影響が解消される。
【００２１】
しかも、換気のために開けたドア２０を固定するための木片やルーバー等よりなる換気口も必要性がなくなり、小さく、簡単で、外観を損なわない光遮蔽体Ｐが取り付けられるだけであるため、デザイン上の制約が殆ど皆無となる。また、光遮蔽体Ｐについては、必要であれば、何時でも既設の戸当たりを撤去し、後付けが可能である。
【００２２】
そのうえ、光遮蔽体Ｐが閉じられたドア２０の凹部分Ｈを覆っているので、閉じられたドア２０とドア枠１０との隙間Ｓの断面形状（略Ｚ字形状）が、直線上ではなく、屈折しているため、隙間Ｓに進入した光は多数回の反射によってしか、通過することが出来ない。そのため、光は反射の都度吸収され、減衰し、外からの光が内部へ又は内部の光が外へ、通過することが不可能であって、光が洩れることはない。
【００２３】
さらに、凹部分Ｈの表面及び光遮蔽体Ｐの表面は共に単純な形状であるため、ドア２０、ドア枠１０共に、構造が簡単であり、加工・取り付けも容易であり、費用は従来のものと殆ど変わらない。
【００２４】
次に第２の実施の形態例について図７により説明すると、これは光遮蔽体Ｐがドア枠１０の一方の側の端（ドア２０が進入してくる方向とは逆の方向の端）まで延長されたものである。
これによれば、上記第１の実施の形態例の作用効果に加えて、外観もすっきりするだけでなく、通行時に光遮蔽体Ｐが衣服や体に引っ掛かるおそれがなくなり、それらの損傷事故が減少する。
【００２５】
３番目に第３の実施の形態例について図８及び図９により説明すると、これは光遮蔽体Ｐが段差状に結合された２個の凸部分Ｐ１，Ｐ２からなるものである。ドア２０が閉じられると、凹部分Ｈが、空気が通過可能な隙間Ｓを残して、凸部分Ｐ１，Ｐ２のいずれか一方（図８はドア２０の進入方向に近い側の凸部分Ｐ１、図９はドア２０の進入方向に遠い側の凸部分Ｐ２）に外嵌されるよう構成されている。なお、光遮蔽体Ｐとしては、ＭＤＦ・木材・集成材・プラスチックスその他の無垢材、中空材いずれでもよい。
これは既設の戸当たりのドア２０に近い角の切り欠きによって形成可能であり、容易に本発明の目的を達成することが出来るという効果がある。
【００２６】
最後に第４の実施の形態例について図１０により説明すると、これは光遮蔽体Ｔが容易に脱着可能に、光遮蔽体Ｔとその光遮蔽体Ｔをドア枠１０に取り付ける打ち込み金具Ｕとより構成されたものである。なお、光遮蔽体Ｔと打ち込み金具Ｕとは薄い蝶番状の連結材で繋がっている。
これによれば、上記第１の実施の形態例の作用効果に加えて、後付けすることも可能であり、不要であれば撤去し、戸当たり又は別の種類のものに変更可能である。
【００２７】
【発明の効果】
以上のとおり、請求項１又は請求項２の発明によれば、必要な換気量が確保されるため、近年問題になっている、建材中の有害な有機溶剤が揮発し、室内に充満することによるシックハウス症候群、調理具・暖房器具・喫煙等からの有害ガスの発生による不快感、中毒等、健康に対する悪影響が解消される。しかも、光の漏洩の問題はないので、寝室等にも適用できる。
そのうえ、換気のために開けたドアを固定するための木片やルーバー等よりなる換気口も必要性がなくなり、小さく、簡単で、外観を損なわない光遮蔽体が取り付けられるだけであるため、デザイン上の制約が殆ど皆無となる。
【００２８】
特に、請求項２に記載の発明によれば、光遮蔽体を請求項１のように戸当たりを取り除いた部分に新たに突設するものではなく、戸当たりを切欠き、すなわちその一部を残して形成するものであるので部品点数を軽減しうる。
【００２９】
また、請求項３の発明によれば、請求項１又は２の発明の作用効果に加えて、凹部分が形成されたドアの周縁及びその凹部分に相対向する光遮蔽体の部分は共に単純な形状であるため、ドア、ドア枠共に、構造が簡単であり、加工・取り付けも容易であり、費用は従来のものと殆ど変わらない。
【図面の簡単な説明】
【図１】本発明の第１の実施の形態例に係わるドアとドア枠との組み合わせ構造の一部を示す斜視図である。
【図２】本発明の第１の実施の形態例に係わるドアとドア枠との組み合わせ構造の一部を示す断面図である。
【図３】凹部分が左右両辺の二辺の位置に形成されたドアを示す斜視図である。
【図４】凹部分が上辺と左辺の二辺の位置に形成されたドアを示す斜視図である。
【図５】凹部分が上辺と左右両辺の二辺の位置に形成されたドアを示す斜視図である。
【図６】凹部分が左辺の一辺の位置に形成されたドアを示す斜視図である。
【図７】本発明の第２の実施の形態例に係わるドアとドア枠との組み合わせ構造の一部を示す断面図である。
【図８】本発明の第３の実施の形態例に係わるドアとドア枠との組み合わせ構造の一部を示す断面図である。
【図９】本発明の第３の実施の形態例に係わるもう一つ別のドアとドア枠との組み合わせ構造の一部を示す断面図である。
【図１０】本発明の第４の実施の形態例に係わるドアとドア枠との組み合わせ構造の一部を示す断面図である。
【符号の説明】
１０        ドア枠
１１        ドア枠本体
２０        ドア
Ｓ          隙間
Ｐ          光遮蔽体
Ｐ１        凸部分
Ｐ２        凸部分
Ｔ          光遮蔽体
Ｕ          打ち込み金具
【図１】
0003739553.tif 000002
【図２】
0003739553.tif 000003
【図３】
0003739553.tif 000004
【図４】
0003739553.tif 000005
【図５】
0003739553.tif 000006
【図６】
0003739553.tif 000007
【図７】
0003739553.tif 000008
【図８】
0003739553.tif 000009
【図９】
0003739553.tif 000010
【図１０】
0003739553.tif 000011